(57)【要約】【課題】  迅速に開き、排泄物の排出及び着用者からの取り外しを容易にする使い捨て下着を提供する。【解決手段】  前方部分５６と後方部分５８を有し前方部分５６と後方部分５８はクロッチ部分５７を介して隣接するシャシ１４と、シャシ１４に配置された弾性バンド１０５と、シャシ１４及び弾性バンド１０５に配置された未結合区域により分離された一連の周期的に間隔を置いた結合部６を有する少なくとも１つの破線２９とを有し、周期的に間隔を置いた結合部６は、下着を取り外す間、シャシ１４が破線２９で破れるように弱化領域を形成する。【選択図】  図１
2004216182.tif 000002
【特許請求の範囲】
【請求項１】
前方部分と後方部分を有し、前方部分と後方部分はクロッチ部分を介して隣接するシャシと、
前記シャシに配置された弾性バンドと、
前記シャシ及び前記弾性バンドに配置された未結合区域により分離された一連の周期的に間隔を置いた結合部を有する少なくとも１つの破線とを有し、
前記周期的に間隔を置いた結合部は、下着を取り外す間、前記シャシが前記破線で破れるように弱化領域を形成することを特徴とする容易に取り外し可能な弾性使い捨て下着。
【請求項２】
前記各結合部は、前記シャシの一部を移動することによって形成され、薄い領域を規定する厚い外縁を形成することを特徴とする請求項１に記載の使い捨て下着。
【請求項３】
前記シャシの５０％乃至９０％の部分が前記外縁に移動されていることを特徴とする請求項２に記載の使い捨て下着。
【請求項４】
前記結合部は、回転圧力結合によって形成されることを特徴とする請求項３に記載の使い捨て下着。
【請求項５】
前記結合部は、超音波結合によって形成されることを特徴とする請求項３に記載の使い捨て下着。
【請求項６】
前記破線は、前記シャシの前方部分に配置されていることを特徴とする請求項３に記載の使い捨て下着。
【請求項７】
前記弾性バンドは、少なくとも前記後方部分に配置されたウエストバンドと、少なくとも前記クロッチ部分に配置されたレグバンドとを有することを特徴とする請求項１に記載の使い捨て下着。
【請求項８】
前記弾性バンドは、弾性フィルムであることを特徴とする請求項７に記載の使い捨て下着。
【請求項９】
前記ウエストバンドは、前記前方部分にまで配置されていることを特徴とする請求項７に記載の使い捨て下着。
【請求項１０】
前記弾性バンドは、弾性ストランドであることを特徴とする請求項７に記載の使い捨て下着。
【請求項１１】
前記シャシの隣接する結合部は、重なりかつ間隔を置いて位置され、
各弾性ストランドは、前記シャシの強度を維持するために前記結合部間に前記未結合区域を保持しながら、弾性ストランドを切断するために少なくとも１つの結合部によって重なっていることを特徴とする請求項１０に記載の使い捨て下着。
【請求項１２】
隣接する結合部の少なくとも一部は、前記シャシの水平方向と垂直方向で重なり、前記シャシの強度を維持するために前記結合部間に前記シャシの十分な量を保持しながら、弾性バンドを切断することを特徴とする請求項１に記載の使い捨て下着。
【発明の詳細な説明】
【技術分野】
【０００１】
本発明は、迅速に開き、排泄物の排出及び着用者からの取り外しを容易にする使い捨て下着に関する。このような下着の例は、使い捨ておむつ、使い捨てトレーニングパンツ、失禁する大人等の使い捨て下着を含む。
【０００２】
本発明は、弾性ウエストバンドと弾性レグバンドが連続し、弾性体が適合性を改良するためにパンツのシャシを通して配置され、パンツのシャシの弾性ウエストバンド、弾性レグバンド及び弾性体を破ることができる結合部を有する破線を有する使い捨て下着に関する。
【背景技術】
【０００３】
幼児及び失禁する大人は、排泄物を吸収し収容するために使い捨て下着を着用する。トイレのトレーニングの過程は、おむつを着用することから下着を着用するまでの移行を子供によって行われる。子供はトイレのトレーニング中に、下着を汚さないでトイレを使用するように身体を制御することを学ぶ。トレーニングパンツは、子供が新しい下着を着用する身体の作用を制御するためにおむつか下着かを識別できない下着で子供を学習させることによってトイレのトレーニングを容易に行うように使用される。
【０００４】
使い捨てトレーニングパンツは、使い捨ておむつより大きさが小さいだけでなく、着脱の方法、すなわち、脚の開口部に着用者の脚を挿入し、パンツを胴の下方にまで上げ、脱ぐときにはその逆を行う方法は下着と同じである。従って、子供はトイレを使用するためにトレーニングパンツを引き降ろし、引っ張り上げることに身体を慣らす。
【０００５】
しかしながら、トイレトレーニング過程でのアクシデントは避けられない。従って、トレーニングパンツを迅速に容易に除去することは重要である。この方法において、使い捨てトレーニングパンツは、パンツを通して子供の脚を引っ張らないでパンツを開き、子供から除去することができるから使い捨ておむつと同じである。こうしないと、子供は排泄物または尿で汚れる結果を招く。一旦取り外されると、使い捨てトレーニングパンツは、廃棄される。使い捨てトレーニングパンツは、洗濯し再使用するようには構成されていない。
【０００６】
子供は異なるサイズであり、トイレのトレーニングは異なる年齢で行われるので、トレーニングパンツは、広範な寸法の身体に適合しなければならない。さらに、失禁する大人も使い捨て下着を使用する。トレーニングパンツは、必要な寸法の範囲を製造するためにいくつかの製造装置の異なる組を使用しなければならない。
【０００７】
広範囲の寸法に適合する改良されたトレーニングパンツは、ハッセ等によって米国特許出願第７９５，５６０号によって開発されている。ハッセの使い捨てトレーニングパンツは、種々の寸法の着用者に適合するために下着の本体に少なくとも２つの弾性イヤフラップを有する。従って、パンツを迅速に開放し、汚れたパンツを除去するための手段を有することが望ましい。これまでは、弾性体を破ることができる開放装置は利用することができなかった。
【０００８】
従来技術は、使い捨てトレーニングパンツを取り外すために分割されたサイドフラップを示している。トレーニングパンツを取り外すために使用される他の機構は破断パネル及び破りストランドを有する。パンツ除去の分離可能なサイドシームを使用するためにいくつかの欠点がある。第１の欠点は、シームが簡単で便利な分離を行うことができ、使用中に早期の開放を防止するために十分な強度を有しなければならない。ウエストバンド及びレグバンドのサイドシームが使用中に最も汚れる。従って、早期の開放を防止するために十分な強さを提供する目的でサイドシームを製造することが有利である。サイドシームのこの目的を有するように、パンツの破線または分離点はサイドシーム以外のいずれかの部分に配置することが必要になる。
【０００９】
サイドシームの容易で有効な分離の要求は、サイドシームに付与される強度を自動的に制限する。さらに、サイドシームの破線は、子供等を世話する世話人がパンツを十分な強度で把持し、パンツを破るために子供を各側に回わすことを必要とする。側方にではなく前方にパンツを開放することができる開放方法を有することが有利である。
【００１０】
使い捨てトレーニングパンツのサイドシームで分離する公知の方法は、破るときにシーム自身が破れるか、シームに隣接した材料が破れるようにサイドシームに孔または切り込みを含む。ステッチの端部が引かれるとき、シームが解け、シームが分離するように分離可能なサイドシームに使用されるチェインステッチが使用される。開放の他の方法は、サイドシームが作られる前にこの材料が案内路を与えるように破断パネルが弱い材料で製造される側部の一方または双方に２つのシームの間に破断パネルを挿入することである。通常、従来技術で示されたシーム領域は、パンツの分離に干渉することを避けるためにウエストバンドまたはレグバンドの空所である。弾性体を分離することができる除去方法は、適合感及び着心地を改良する腰及び脚部に連続した弾性バンドをトレーニングパンツに設けることである。
【発明の開示】
【発明が解決しようとする課題】
【００１１】
米国特許出願第７９５，５６０号のハッセによって示された改良されたトレーニングパンツは、広範な寸法の着用者に適合するように高度な伸長性を有する弾性使い捨てパンツを示す。
【００１２】
使い捨てトレーニングパンツは少なくとも２つ好ましくは４つの弾性イヤフラップを有する。弾性イヤフラップは薄層を形成するように固定された弾性部材を有する。弾性イヤフラップは、弾性イヤフラップが永久的に伸ばされ、最初の伸長力が薄層から除去されると、薄層が最初の伸長方向に弾性的に伸長可能であるように薄層を機械的に伸長する。
【００１３】
従って、広範な寸法への改良された適合を容易にするためにウエストバンド及びレグバンドに連続的または非連続的な弾性体及びパンツのシャシに配置された弾性体、弾性部材を分離できる開放手段を有する使い捨てトレーニングパンツが提供される。
【００１４】
本発明の目的は、着用者から容易に除去するためにトレーニングパンツを開放する手段を有する使い捨て下着を提供することである。
【００１５】
本発明の他の目的は、ウエストバンド、レグバンドまたはパンツシャシに配置された弾性体を通して破ることができる無孔破りラインを有する使い捨て下着を提供することである。
【００１６】
本発明の他の目的は、トレーニングパンツの前部に配置することができる無孔破線を有する使い捨て下着を提供することである。
【００１７】
本発明の他の目的は、製造することが簡単で経済的な使い捨て下着を提供することである。
【００１８】
本発明の他の目的は、着用者からパンツが早期に脱げることを防止するために使用中に十分な強度を有するように破線を配置した、個々の寸法、形状、間隔を有する無孔破線を有する使い捨て下着を提供することである。
【００１９】
本発明の他の目的は、破線が弾性材料、弾性ウエスト及びレグバンド及びパンツ材料及び弾性部材のいくつかの層を破ることができるように配置され、個々の寸法、形状、間隔を有する無孔破線を有する使い捨て下着ニングパンツを提供することである。
【００２０】
本発明の他の目的は、パンツを破るか目で確認するために適当な開始点を世話人に案内するためのマーカーを有する使い捨て下着を提供することである。
【００２１】
本発明の他の目的は、トレーニングパンツのサイドシームへの位置決めの必要のない無孔破線を有する使い捨て下着を提供することである。
【００２２】
本発明の他の目的は、おむつの外観及び感触ではなく布製下着の外観及び感触を有する使い捨て下着を提供することである。
【課題を解決するための手段】
【００２３】
本発明は、少なくとも２つの層と、吸収部材と、弾性レグカフと、弾性ウエストバンドと、異なるサイズの着用者に適合するためにパンツシャシのイヤフラップに配置された弾性体とを有する使い捨て下着を提供する。
【００２４】
本発明は、排泄物の排出を容易にし、汚れたパンツを容易に取り外すために、弾性部分を有する使い捨て下着を分離する無孔破線を有する。
【００２５】
本発明は、汚れたパンツを迅速に能率的に除去するためにウエストバンド、パンツ本体及びレグバンドを通して伸びるパンツの１つまたはそれ以上の場所に無孔破線を配置することができる。
【００２６】
本発明の破線は、大人が両方の手でウエストの破線の両側を把持し引き離すときに開放するように構成されている。弾性ウエストバンドで破れ始め、１つの弾性レグバンドを通って進展し、１つの弾性レグバンドを通って終わり、それによって破線を通じてパンツの分離を行う。破線は、パンツの前方及び後方のいずれにおいてサイドシームと吸収組立体との間のいずれの場所にも配置することができる。もし破線がサイドシームの近傍に配置されるならば、世話人は子供を回動させたり手の位置を変更させることなく双方の場所を破ることができる。さらに、サイドシームは破線がサイドシーム以外の場所に配置されるならば、最大限の強度を有するように製造することができる。
【００２７】
破線は、パンツのシャシ及びレグバンドを通してウエストバンドから伸びている所望の弱化線を形成するために幾何学的に配置され、形状、寸法、空隙の一連の結合部を有孔パンツに材料を融解することによってつくられる。結合部の寸法、形状、空隙及び構成は、材料の性質によって変化する。弱化領域に沿って破ることができるように十分に密接した結合部の間に平衡を維持しなければならなず、結合部は下着が十分な強度を有するように十分間隔を置いていなければならない。
【００２８】
ウエストバンドを弾性化するために弾性ストランドを使用するならば、各ストランドを切断するために重複した結合部が使用される。重複した結合部は、各弾性ストランドをその位置に無関係に切断し、胴回りの強化のために結合部の間に十分な材料を残す。弾性ストランドの代わりに弾性フィルムを有する弾性部分を使用することができるが、必ずしも使用する必要はない。有孔部とは異なり、結合部は材料の穴ではないが、薄い硬化薄膜である。このように本発明の無孔破線は有孔線より強く、使用中に早期の破れが生じない弱化領域である。
【００２９】
シャシの層数は破線の長さに沿って変化する。１つまたはそれ以上の層は、第１の強化ポリマーとは異なる点で溶けるポリエチレンのようなポリマーである。
【発明を実施するための最良の形態】
【００３０】
以下、本発明による使い捨て下着の実施形態について添付の図面を参照しながら説明する。  
本発明は、非弾性トレーニングパンツに配置された無孔破線と、２つの弾性体を有する使い捨てトレーニングパンツを実施例とを示すが、これらの破線はいかなる使い捨て下着にも使用することができる。
【００３１】
本発明の使い捨てトレーニングパンツの弾性体を有する実施例の一例は、米国特許出願第７９５，５６０号に示されたハッセのパンツに示された無孔破線を有する。
【００３２】
第２の弾性体を有する実施例は、無孔破線が伸びている連続的な弾性ウエストバンドと連続的な弾性レグバンドを有するハッセのパンツの変形例である。
【００３３】
本発明の破線は、使い捨てトレーニングパンツの特別な実施例に使用するように説明する。しかしながら、本発明は、他のトレーニングパンツの構造やブリーフ並びに使い捨ておむつ等の他のタイプの使い捨て下着に使用することが意図されている。
【００３４】
ここで使用する、使い捨てトレーニングパンツは、身体からの排泄物を吸収し収容する使い捨て下着を言い、さらに詳細には、吸収手段を有し、膀胱や腸の動きを制御し、トイレを使用するようにトレーニングする間、子供が着用する使い捨て下着を言う。
【００３５】
図１において、トレーニングパンツ２０は、隣接するクロッチ部分５７を介して結合された前方部分５６と後方部分５８とを有する。前方部分５６と後方部分５８とクロッチ部分５７は、パンツ１４のシャシを構成する。前方部分５６及び後方部分５８は、ウエスト開口部及び２つのレグ開口部が形成されるようにサイドシーム１０で結合される。複数の破線２９が、前方部分５６に配置されている。一方の破線２９は、右側で右のレグ開口部からウエスト開口部まで連続的に伸びている。他方の破線２９は、左側で左のレグ開口部からウエスト開口部まで連続的に伸びている。シャシ１４は、内層４６と、内層４６に固定された外層４８と、内層４６に固定された吸収組立体２２とを有する。
【００３６】
使い捨てトレーニングパンツのウエストバンドは、着用者の腰に隣接するトレーニングパンツの部分である。外層４８及び内層４６は、一緒に結合されてウエストバンド３４を形成し、ウエストバンド３４の一部またはウエストバンド３４全体にわたって配置された弾性バンドを有する。本発明の使い捨てトレーニングパンツは、弾性バンドが無孔破線の破断能力に干渉せずまたはそれを妨げないので、着用者のウエスト全体を包囲する弾性ウエストバンドを有するように構成される。従来技術の弾性ウエストバンドは、パンツの開放方法に関する弾性体の逆効果によってウエストバンドの一部にのみ弾性体を有する。
【００３７】
レグバンド３２は、着用者の脚の周りに密接しパンツから着用者の脚漏れを防ぐように脚の開口部を包囲するトレーニングパンツ２０の部分である。弾性レグバンド３２は、種々の脚のサイズに適合し脚によく適合する。外層４８及び内層４６は、一緒に結合してレグバンド３２を形成し、レグバンドの部分（クロッチ部分）またはレグバンド３２全体に配置された弾性バンドを含む。
【００３８】
本発明の使い捨てトレーニングパンツは、弾性体が無孔破線の破り性能を阻害せず干渉しないので、着用者の脚を完全に包囲する弾性レグバンドを有する。従来技術は、弾性体がパンツの分離性に干渉しないようにレグバンドの一部のみ、通常クロッチ部分に配置される。しかしながら、弾性体を破るための本発明の能力によって、以下に詳細に説明する本発明の好ましい実施例は、漏れ防止を向上するために着用者の脚の周りに密着して適合することを容易にするようにレグバンド全体の長さにわたる弾性体を示す。
【００３９】
図１に示すように、使い捨てトレーニングパンツ２０は、前方部分５６に各レグ開口部、すなわち右脚開口部及び左脚開口部からウエスト開口部に伸びる２つの連続した無孔破線２９を有する。破線２９は、一方の破線２９の両側のウエストバンドを把持し、破線２９に沿って引き離し、他の破線２９に沿ってこれを繰り返すことによってトレーニングパンツ２０を着用者から容易に除去することができる。トレーニングパンツ２０は、ウエスト開口部とトレーニングパンツ２０の右脚開口部との間と、ウエスト開口部とトレーニングパンツ２０の左脚開口部との間で開放する。破線の好ましい場所は、着用者の大腿部に接触するレグバンド点からウエストバンドまでの最も短い線である。
【００４０】
破線２９は、トレーニングパンツ２０のウエストバンド３４、シャシ１４及びレグバンド３２への一連の個々の結合部を溶融することによって作られる弱化領域である。結合部の寸法、形状、空隙及び構成は、結合する材料のタイプに依存し、同じ破線内で変化する。結合部は、幾何学的な形状（すなわち、卵形、円形、楕円形、矩形、カプセル形、３角形）であるが、本発明の結合部の好ましい形状は、卵形、円形またはカプセル形である。早期の開放を防止するために材料が十分な強度を保持するように十分に間隙を置いた結合部に対して破ることができるように材料を十分に弱めるながらバランスが達成される。このバランスは一緒に結合する材料毎に決定しなければならない。しかしながら、この業界の当業者は、適当な材料を容易に選択し、結合部の形状、寸法、空隙及び構成を決定できる。
【００４１】
無孔破線は、弾性体フィルムまたは弾性体ストランドを分離することができるが、弾性体ストランドを有するパンツの分離部分は、図１Ｂに示すような重複結合部１１４を必要とする。
【００４２】
図１Ｂは、重複する楕円形の結合部１１４がその位置とは無関係にすべての弾性ストランド１１５を切断し、胴周りの強度のための結合部の間に未結合材料を残す方法を示す。弾性体バンド１０５の重複構成１１４は、弾性体ストランド１１５を破ることができるが、全体において弾性体バンド１０５の作用を破壊することはできず、弾性体バンド１０５は着心地及び適合感を最大限にするために弾性的な伸長性を保持する。隣接する結合部は、水平面及び垂直面に重複しているが互いに接触していない。重複する結合部の構成の使用は、弾性体ストランドを含む部分を制限しないが、非弾性部分または弾性フィルムを含む弾性部分で使用することができる。
【００４３】
図１Ａは、結合部が重複することを必要としないトレーニングパンツシャシ１４の一部を通る破線２９の一部を示す。図１Ａに示す結合部６は、特定の材料が破線２９に沿って破れが進展するために十分に弱くなるように間隔が十分に接近している。しかしながら、破線の早期の開口が生じないように未結合の織物の十分な強度を保持するように十分に間隔が空いている。
【００４４】
結合部は、超音波結合または回転圧力結合によってつくられる。双方の方法は、材料を柔らかくして流し、パンツのポリマー材料層の特定の点に高エネルギーを付与し、この特定の点のシャシ材料の５０％乃至９０％は厚くされる外縁に移動する。
【００４５】
図１Ｃ及び図１Ｄに示すように、材料が再硬化するとき、溶融材料の厚くなった外縁７によって薄い厚さ領域８ができる。結合部の厚くなった外縁７は、隣接した未結合材料の層より厚い。
【００４６】
図１Ｄに示すように、織物（材料）のほぼ５０乃至９０％は内側部分８から結合部の周部分または外縁７に移動し、厚さの薄い領域８に織物のほぼ１０乃至５０％を残す。この端部は図１Ｃに示すような結合部を生じ、これは、穴を有しないが溶融材料の厚い外縁７によって包囲される薄い材料層８を有することを除いて楕円形ドーナツに似ている。薄い領域８は、結合部５の溶融され再硬化された材料であり、厚い外縁７は、大きい機械圧の領域から押し出され溶融され再硬化された材料である。
【００４７】
破線２９は、図１、図２及び図７に示すように、世話人によって容易に切除されるように前方部分５６に配置されることが好ましい。無孔破線２９は、各破線２９が脚開口部とウエスト開口部との間に連続して伸びる限り、サイドシーム１０の中央近傍の後方部分５８、または後方部分５８または前方部分５６のようなトレーニングパンツの吸収組立体２２とサイドシーム１０との間のいずれかに配置することができる。
【００４８】
図１、図２及び図７は、破線の好ましい形状を示しているが、破線２９の形状は直線または曲線またはその組み合わせである。破線の向きは、製品の機械方向に対して平行、または直角またはその間の角度である。従って、結合部の幾何学的な形状及び構成は、破線２９がウエスト開口部と脚開口部との間で連続的に伸びている限り、非制限的である。さらに、破線２９の開始点に世話人を案内するか、またはパンツの外観を向上するために追加的な結合部（図示せず）をトレーニングパンツに配置することができる。
【００４９】
当業者はトレーニングパンツを製造するために適当な材料を容易に選択し、それらはパンツを破くが、十分な胴周りの強度を保持するような形状、寸法、間隔配置の結合部分を使用する。好ましい破線は、図１Ｇに示すようなにしんの骨形状のカプセル状結合部を有する。好ましい他の破線は、図１Ｈに示すようなジグザク形状のカプセル結合部を有する。
【００５０】
さらに、図１Ｅ及び図１Ｆは、ジグザグ形状の円形結合部を示す。各円形結合部は、０，０５インチ（０．１３センチメートル）の直径を有する。隣接する結合部は、トレーニングパンツの十分な胴回りの強度を保証するために縁部と縁部を０，０１インチ（０．２５センチメートル）離している。
【００５１】
図２に示される好ましい実施例は、ハッセによる米国特許出願第７９５，５６０号のトレーニングパンツに本発明の破線を重ねたものである。図７に示し、以下に詳細に説明する本発明の他の好ましい実施例は、ハッセのトレーニングパンツの変形例に本発明の破線を示すものである。図２及び図７の双方に示すトレーニングパンツ２０は、シャシ１４と、サイドシーム１０と、吸収組立体２２と、破線２９とを有する。
【００５２】
図３は、シャシ１４の前方部分５６と後方部分５８がシーム１０によって一緒に固定される前の図２の使い捨てトレーニングパンツの一部を破断した平面図である。
【００５３】
本発明のシャシ１４は、変形された砂時計形状を有する。シャシ１４は、少なくとも前方部分５６と、後方部分５８と、隣接するクロッチ部分５７と、長手方向側方領域８８と、イヤフラップ７２とを有する。イヤフラップ７２は、積層イヤフラップを形成するようにイヤフラップ７２に結合される弾性イヤフラップ部材９０を有する。積層イヤフラップは以下にさらに詳細に説明する機械的な引っ張り方法によって弾性化される。吸収組立体２２は、クロッチ部分５７のシャシ１４に固定される。
【００５４】
図２及び図３に示すように、前方部分５６と後方部分５８は、クロッチ部分５７を介して隣接している。前方部分５６及び後方部分５８は、ウエスト開口部及び２つの脚部開口部が形成されるようにサイドシーム１０で一緒に結合されている。長手方向の側方領域８８におけるパンツの側部において、サイドシーム１０は、各脚の開口部からウエスト開口部まで断続的に伸びている。好ましくは、破線２９の各々は、シャシ１４の前方部分５６に配置され、各脚部からウエスト開口部に連続している。
【００５５】
図３に示すように、シャシ１４の好ましい実施例は、外層４８と、弾性イヤフラップ部材９０を有する内層４６と、弾性ウエストバンド部材７６と、好ましくは内層４６と外層４８との間に固定された弾性ストランド１０５とを有する。図面では重複結合部の構成を示すために弾性ストランドを示すが、弾性フィルムも使用することができる。外層４８は、使い捨てトレーニングパンツ２０の外側を形成するシャシ１４の部分である。外層４８は、柔軟で柔らかい感じで着用者の皮膚に刺激を与えないものである。
【００５６】
適当な外層は、プラスチックフィルム、天然繊維（例えば木または木綿繊維）の織りまたは不織ウエブ、合成繊維（例えば、ポリエステルまたはポリプロピレン繊維）、または天然繊維と合成繊維との組み合わせのような広範な材料から製造することができる。好ましくは、外層４８は、疎水性であり、典型的には５０％，またはそれ以上好ましくは、１００％の熱可塑性繊維を含む材料から製造される。好ましくは、外層は、ポリプロピレンまたはポリエチレン繊維の不織ウェブである。適当な外層は、Ｎ．Ｊのランジスビルのスコット不織布社によって製造されたシリーズ６７００である。
【００５７】
内層４６は、シャシ１４の内側を形成し、着用者の少なくともウエスト及び脚に接触するシャシ１４の部分である。内層も柔軟で柔らかい感触の着用者の皮膚に刺激のないものである。適当な内層４６は、プラスチックフィルム、天然繊維（例えば、木または木綿の繊維）の織りまたは不織ウェブ、合成繊維（例えば、ポリエステルまたはポリプロピレン繊維）または天然と合成繊維の組み合わせのような広範な材料から製造することができる。好ましくは、内層４６は外層４８と同じ材料から製造される。適当な内層は、Ｎ．Ｊ州のスコット不織布社によって製造されたシリーズ６７００である。
【００５８】
内層４６は、外層４８に隣接して配置されることが好ましく、従来技術のような取付手段（図示せず）によって外層４８に隣接して配置されることが好ましい。例えば、内層４６は、接着剤の連続層、パターン化された接着剤の層または接着剤の分離したライン、螺旋または点の配列によって外層４８に固定される。適切な接着剤は、ウイスコンシンのＥｌｍグローブのフィンドリ接着剤社によって製造されフィンドリ２３０１として市販されている。別の取付手段は、熱結合、圧力結合、超音波結合、動的機械結合、またはこの技術分野でよく知られているような他の適当な取付手段またはこれら取付手段の組み合わせである。
【００５９】
本発明の好ましい実施例において、内層４６及び外層４８は、弾性イヤフラップ部材９０、弾性ウエストバンド部材７６及び弾性ストランド１０５に直接結合することによって互いに間接的に結合されるか、弾性イヤフラップ部材９０と、弾性ウエスト部材７６と、弾性ストランド１０５とを越えて伸びる領域で互いに直接結合される。  
本発明の好ましい実施例において、シャシの内層４６及び外層４８の少なくとも一部は、弾性イヤフラップ３０を形成するゼロストレインストレッチ薄層を提供するために機械的に伸長される。
【００６０】
弾性レグバンド３２は、パンツからの漏れを防ぐために着用者の脚の周りに緊密に適合するように脚の開口部を包囲するシャシ１４の部分である。各弾性レグバンド３２は、脚の領域で体からの排泄物が漏れることを少なくするためにいくつかの異なる実施例を有する。しかしながら、各弾性レグバンド３２は、サイドフラップ１０４と１つまたはそれ以上の弾性ストランド１０５または弾性フィルム（図示せず）とを有することが好ましい。
【００６１】
シャシ１４のウエストバンド３４は、着用者の腰に隣接したトレーニングパンツの部分である。使い捨てトレーニングパンツ２０のシャシ１４は、少なくとも後方部分５８に使い捨てトレーニングパンツ２０の端縁６４に隣接して配置された弾性ウエストバンド３４を有し、さらに好ましくは、前方部分５６及び後方部分５８の双方に配置された弾性バンド３４を有する。弾性ウエストバンド３４は、使い捨てトレーニングパンツ２０のシャシ１４に固定された別の部材を有するが、ウエストバンドは、内層４６と、外層４８と、これらの部材の組み合わせ及び弾性ウエストバンドを形成するためにそれに結合された弾性材料のような使い捨てトレーニングパンツ２０の他の部材の延長部であってもよい。
【００６２】
使い捨てトレーニングパンツは、２つの弾性ウエストバンドを有するように製造され、一方は前方部分５６に他方は後方部分５８に配置される。使い捨てトレーニングパンツ２０の実施例は、少なくとも後方部分５８の少なくとも中央領域６８に配置された弾性ウエストバンド３４を有する。好ましくは、他の弾性ウエストバンドは、図２及び図３に示すように、前方部分５６に配置される。好ましくは、双方の弾性ウエストバンド３４は、弾性イヤフラップ３０の間に配置される。
【００６３】
弾性ウエストバンド３４は、弾性サイドパネルに関してここに示したものを含む多数の異なる形状に製造される。図４に示す本発明の実施例において、弾性ウエストバンド３４は、内側層４６と外側層４８との間に配置された弾性バンド７６を有する。弾性バンド７６は、使い捨てトレーニングパンツ２０の前方部分５６と後方部分５８でギャザーを形成するように内側層４６と外側層４８のいずれか一方または双方に結合される。
【００６４】
この業界で知られているように適当な弾性材料を本発明の弾性バンド７６として使用することもできる。適当な弾性材料の例は、エラストマーフィルム、成形弾性スクライム、熱収縮性エラストマー材料のようなエラストマーフィルム、熱収縮性エラストマーフィルムと弾性部材の積層のようなエラストマーフィルム薄層、以下に説明するようなゼロストレインストレッチ薄層または機械的に伸長される予張力がかけられたストレッチ薄層のようなエラストマーストレッチ薄層、及びゴム、ＬＹＣＲＡまた他の材料から製造される弾性ストランドを含む。
【００６５】
好ましい実施例において弾性バンド７６は、熱収縮性エラトスマーフィルムを有する。適当なエラストマーフィルムはエクソン社のExxtra  Flex  Filmである。
【００６６】
好ましい実施例において、シャシ１４は、前方部分５６及び後方部分５８に弾性イヤフラップ３０を有する。弾性イヤフラップ３０は、シャシの一体的な部材であり、すなわち、それらは、シャシに固定された別の性部材ではなく、シャシ材料から形成され、その延長部である。弾性イヤフラップ３０は、使い捨て下着の側部を収縮することができるので、使い捨て下着に排泄物が付加されて時間が経過しても、使い捨て下着を着用者に心地よく適合し、着用時間を通してこの適合を維持することによってさらに快適でしっかりとした適合を行う弾性的に伸長可能な特徴を提供する。
【００６７】
図３に示すように、各イヤフラップ７２は、シャシ１４の中央領域６８から側方外方にシャシ１４の長手方向側方領域８８に伸びるシャシ１４の部分を有する。イヤフラップ７２はシャシ１４の端縁６４から脚の開口部を形成するシャシ１４の長手方向縁部６２の部分に伸びている（長手方向の縁部６２のこの部分は、脚の縁部１０６として指定される）。本発明の好ましい実施例において、各イヤフラップ７２は、シャシ１４の中央領域６８を越えて伸びている内層４６と外層４８の部分によって形成される。
【００６８】
本発明の好ましい実施例において、弾性イヤフラップ部材３０は、イヤフラップに、好ましくは、内層４６と外層４８との間でシャシ１４に結合される。そのため、弾性イヤフラップ部材９０が、弾性イヤフラップ３０を側方に弾性的に伸長可能にする。ここに使用するように、用語の弾性的に伸長可能は、引っ張り力（典型的にはイヤフラップ及びウエストバンドに側方の張力）が加えられたとき、少なくとも１つの方向（好ましくは、イヤフラップ及びウエストンバンドの側方の方向に）に伸長され、引っ張り力が除去されたとき、その前の大きさに戻るシャシの部分または部材を意味する。通常、本発明で使用されるエラストマー材料は、伸長してすぐに開放したときに約５秒以内に元の形状の少なくとも約７５％に戻る。
【００６９】
弾性イヤフラップ部材９０は、間断的な結合またはほぼ連続的な結合のいずれかを使用して内層４６、外層４８のいずれかまたはその双方に結合することができる。ここで使用する、間断的な結合薄層ウエブは、層が別に分かれた点で互いに結合された薄層、または層が別に離れた領域で互いに未結合である薄層ウエブを意味する。ほぼ連続した結合薄層ウエブは、層が接合領域にわたって互いにほぼ連続的に結合される薄層ウエブを意味する。
【００７０】
本発明の好ましい実施例において、弾性イヤフラップ部材９０は、接着剤を使用して内層４６と外層４８の双方に連続的に結合されている。張力がかからない弾性イヤフラップ部材９０が配置されている所定の領域の外層４８、内層４６のいずれか、または双方に接着剤のほぼ一様な連続層を適用するために接着剤アプリケータを使用することができる。特に好ましい実施例において、選択された接着剤は伸長可能であり、接着剤アプリケータは、螺旋パターン適用装置である。
【００７１】
使い捨てトレーニングパンツ２０のゼロストレン部分を有することとはは別の弾性イヤフラップ部材９０及び他の部材は、未加熱接着剤、加熱結合、圧力結合、超音波結合、動的な機械結合またはこの技術分野で公知の他の方法を使用して互いに結合される。
【００７２】
弾性イヤフラップ部材９０は、多数の異なる寸法、形状、構成及び材料で製造される。例えば、弾性イヤフラップ３０は、各イヤフラップ７２に結合された１つまたは複数の弾性イヤフラップ部材９０から形成することができる。弾性イヤフラップ部材９０は、種々の幅及び長さを有するか、比較的に狭いエラストマー材料または大きい領域の弾性パッチを有する。弾性イヤフラップ部材９０として使用する適当なエラストマー材料は、合成または天然ゴム、エラストマースクライム、エラストマー織りまたは不織ウエブ、エラストマー不織薄層のようなエラストマー複合体を含む。弾性イヤフラップ部材９０として使用するのに適しているエラストマー材料は、エクソン社のExxtra Flex filmである。
【００７３】
図２に示すように、弾性イヤフラップ部材９０は、前方部分５６及び後方部分５８のイヤフラップ７２の全体の長さにわたって伸びるエラストマー材料のパッチ（エラストマー材料パッチ）を有する。従って、弾性イヤフラップ部材９０は、シャシ１４の端縁６４からイヤフラップ７２のレグ縁部１０６に向かって内側に伸びていることが好ましい。弾性イヤフラップ部材９０の長さ及び幅は、使い捨て下着の機能設計によって決定される。従って、弾性イヤフラップ部材９０は、イヤフラップ７２の長さ全体を通って伸びるか、イヤフラップ７２の長さの一部のみに伸びている。
【００７４】
図３に示すシャシの好ましい一実施例において、長手方向の側方領域８８は、イヤフラップ７２から側方外側にシャシ１４の長手方向縁部６２に伸びている。長手方向の側方領域８８は、シャシ１４の端縁６４から脚の開口部を形成するシャシ１４の長手方向縁部６２の部分まで長手方向に伸びている（長手方向縁部６２のこの部分は脚部縁部１０６として指定される）。長手方向の側方領域８８は、シャシ１４のイヤフラップ７２に固定された別の部材を有するが、長手方向の側方領域８８は、内層４６、外層４８、トップシート２４またはバックシート２６またはこれらの部材の組み合わせのようなシャシ１４の他の部材の延長部であることが好ましい。本発明の好ましい実施例において、各長手方向の側方領域８８は、イヤフラップ７２を越える内層４６及び外層４８の部分によって形成される。
【００７５】
図２を再び参照すると、シーム１０は、前方部分５６の側方領域８８と後方部分５８の側方領域８８とを結合することによって形成することが好ましい。シーム１０は、多数の異なる方法で形成することができる。例えば、シーム１０は、外側に伸びる側方領域８８を結合して外側に伸びるフィンシームを形成し、内側に伸びる側方領域８８の部分を結合して内側に伸びるフィンシームを形成することによって形成され、側方領域８８は、重複するか一緒に結合され、またはこの技術分野でよく知られた他のシーム形状を使用して一緒に結合される。結合は、シャシ１４の長手方向の側方領域８８に使用された特定の材料に適したこの技術分野でよく知られた適当な装置によって行われ、超音波密封、加熱密封、接着剤結合、縫合等が適当な技術である。
【００７６】
本発明の好ましい実施例において、使い捨て下着は、前方部分５６の長手方向の側方領域８８が図６に示すような２つのシーム領域４０を形成する後方部分５８の長手方向の側方領域８８とほぼ重複するようにクロッチ部分５７でシャシを折り曲げることによって形成される。図６Ａは、前方部分５６の長手方向の側方領域８８及び後方部分５８の長手方向の側方領域８８を有するシーム領域４０の好ましい実施例を示す。好ましくは、シーム領域をつくる材料層は、同じ融点を有する。さらに好ましくは、シーム領域の各層は、同じ材料から製造される。好ましい実施例において、シーム領域４０の各層は、１００％のポリプロピレン繊維を有する。
【００７７】
シーム１０は、切断部に隣接する狭い境界領域を同時に溶融しながら、シーム領域４０の一部を切断するために十分な機械的なエネルギーでシーム領域４０を処理することによって形成することが好ましい。溶融境界領域は、比較的に小さい領域であり、フランジレスシームを提供する。ここで使用する、フランジレスシームは、使い捨てトレーニングパンツ２０から約１／１６インチ（１．６ミリメートル）またはそれ以下伸びているシームを言う。
【００７８】
好ましくは、フランジレスシームは、下着から約１／３２インチ（０．８ミリメートル）伸びている。好ましい実施例において、フランジレスシームは、シャシ１４の前方部分５６と後方部分５８との間の接合部である。ここに使用する接合部は、結合部の厚さがシート材料の厚さ以下か、あまり厚くないようにシート材料の２つの部分の端部と端部を接合させるように作用することまたその結果生じる部分を言う。ここに使用する機械的なエネルギーは、機械的なエネルギー（例えば、超音波結合または自家発生圧力結合に用いられるエネルギー）並びに熱エネルギー（例えば、熱密封に使用されるエネルギー）を言うために使用される。好ましくは、超音波エネルギーは、本発明のシーム１０をつくるためにシーム領域を同時に切断しそれを結合するために使用される。好ましくは、機械的なエネルギーは、超音波装置を使用してシーム領域４０に入力される。
【００７９】
また、トレーニングパンツ２０は、吸収組立体２２を有する。使い捨てトレーニングパンツ２０の吸収組立体２２は、挿入体であり、シャシとは別に形成されシャシに挿入された部材である。吸収組立体２２は、圧縮可能で柔軟で着用者の皮膚に刺激がなく、尿及び他の身体の排泄物のような液体を吸収し保持することができる吸収装置である。
【００８０】
図５に示すように、使い捨てトレーニングパンツ２０の吸収組立体２２は、吸収コア２８と、トップシート２４及びバックシート２６を有する外側のカバー層とを有する。吸収組立体２２は、内層４６に隣接して配置されることが好ましく、この技術分野でよく知られたような（図示しない）取付装置によって結合されることが好ましい。適当な取付装置は、バックシート２６を吸収コア２８に結合することに関して説明する。
【００８１】
吸収コア２８は、圧縮可能で、柔軟で、着用者の皮膚に刺激のないものであり、尿及び他の身体の排泄物のような液体を吸収して維持することができる吸収手段である。図３及び図５に示すように、吸収コア２８は、下着面１００、身体面１０１，側縁８２及び端縁８３を有する。
【００８２】
吸収コア２８は、広範な寸法及び形状（例えば、矩形、砂時計形、Ｔ形状、非対称形等）に製造され、通常、エアフェルトと称される細かくされた木のパルプのような使い捨ておむつ及び他の吸収材に使用される広範な液体吸収材料から製造される。他の適当な吸収材の例は、クリープセルロースワディング、コフォーム、クロスリンクセルロース繊維を含むメルトブローポリマー、吸収フォーム、吸収スポンジ、超吸収ポリマー、吸収ゲル材料、または等価材料またはこれら材料の組み合わせを含む。吸収コアの形状及び構造は、変化する（例えば、吸収コアは厚さ領域、毛管領域、親水性勾配、超吸収性勾配、または下方の平均密度及び下方の平均重量獲得領域を変化するか、１つまたはそれ以上の層または構造を有する）。しかしながら、吸収コア２８の全体吸収性能は、構造の適用及び使い捨てトレーニングパンツ２０の意図する使用法に依存する。さらに、吸収コア２８の寸法及び吸収性能は、幼児から大人の範囲で着用者に適合するように変化する。
【００８３】
吸収組立体２２の好ましい実施例は、変形された砂時計形の吸収コア２８を有する。吸収組立体２２の好ましい実施例は、変形された砂時計形の吸収コア８を有するが、吸収コア２８の寸法、形状、構造及び全体の吸収性能は幼児から大人へ変化する着用者に適合するために変化する。従って、吸収コアの寸法、形状及び構造は変化する（例えば、吸収コアは、変化する厚さ、または親水性勾配を有するか、吸収ゲル材料を含むか含まないか）。吸収コア２８は、約１３センチメートルの幅（側方の寸法）、約３７センチメートルの長さ（長手方向の寸法）、クロッチ部分５７の最も狭い部分にわたってほぼ８センチメートルのエアフェルト及び吸収ゲル材料であることが好ましい。好ましくは、前方部分５６及びクロッチ部分５７に配置された吸収コアの部分は、後方部分５８に配置された吸収コアの部分より重い。さらに好ましくは、前方部分５６及びクロッチ部分５７に配置された吸収コアの部分は、後方部分５８に配置された吸収コアの部分より３倍重い基礎重量を有する。
【００８４】
吸収コア２８の好ましい実施例において、吸収コア２８は、１平方インチ当たり０．６９グラム（１平方センチメートル当たり０．１１グラム）の基礎重量を有し、約２５．４センチメートルの長さが前方部分５６とクロッチ部分５７に配置され、１平方インチ当たり０．２３グラム（１平方センチメートル当たり０．２２グラム）の基礎重量を有し、１１．４センチメートルの長さが後部分５８に配置される。
【００８５】
バックシート２６は、吸収コア２８の下着面１００に隣接して配置され、当業者がよく知るような取付手段（図示せず）によって結合する事が好ましい。例えば、バックシート２６は、接着剤の一様な連続層、接着剤のパターン化された層、または接着剤の分離線、螺旋または点によって吸収コア２８に固定することができる。満足な接着剤は、オハイオ州コロンバスのセンチュリー社によって製造されて市販されているセンチュリー５２２７、ミネソタ州セントポール社のＨ．Ｂフュラー社によって市販されているＨＬ−１２５８である。取付装置は、１９８６年３月４日にミネトラ及びタッカに付与された“使い捨てウエスト収容下着”と題された米国特許第４，５７３，９８６号に示されており、参照によりここに組み込まれている。別の案としては、取付手段は、加熱結合、圧力結合、超音波結合、動的な機械結合を有するか、またはこの技術分野で公知のこれらの取付手段の他の適当な取付手段または組み合わせを有する。
【００８６】
バックシート２６は、液体（例えば尿）に対して不透過性であり、薄いフィルムから製造されることが好ましいが、他の可撓性を有する液体不透過性材料も使用することができる。ここで使用する可撓性は、柔軟で人間の体及び輪郭に容易に適合する材料を言う。バックシート２６は、ベッドシート及び下着のような使い捨てトレーニングパンツ２０に接触する衣類を吸収コア２８に吸収され含まれる排泄物が濡らすことを防止する。バックシート２６は、織りまたは不織材料、ポリエチレンまたはポリプロピレンの熱可塑性フィルムのようなポリマー材料、またはフィルムコートされた不織材料のような複合材料を有する。好ましくは、バックシートは２６は、約０．０１２ｍｍ（０．５ミル）から約０．０５１ｍｍ（２．０ミル）の厚さを有する。
【００８７】
バックシート２６の大きさは、吸収コア２８の寸法及び正確な選択された使い捨て下着によって決定される。好ましい実施例において、バックシート２６は、弾性レグカフ３２がバックシート材料から自由であり、従ってバックシート材料によって阻害されないように、バックシートによって少なくとも吸収コアの周り及び少なくともクロッチ部分５７のトップシート２４の縁部を包む。別の案として、トップシート２４は、吸収コア２８の周りと少なくともクロッチ部分５７のバックシート２６の縁部の下を包囲するか、またトップシート２４及びバックシート２６は、弾性レグカフがバックシート材料によって邪魔されないようにクロッチ部分５７にサイドノッチを形成することができる。
【００８８】
トップシート２４は、吸収コア２８の身体面１０１に隣接して配置され、これらのよく知られた取付装置（図示せず）によってバックシート２６に結合されることが好ましい。適当な取付装置をバックシート２６を吸収コア２８に結合することに関して説明する。本発明の好ましい実施例において、トップシート２４は、柔軟で、柔らかい感じで着用者の皮膚に刺激のないものである。さらに、トップシート２４は、液体（例えば、尿）がその厚みを容易に浸透することができる液体透過性である。適当なトップシートは、多孔性フォーム、網状フォーム、有孔プラスチックフィルム、天然繊維（例えば木または木綿繊維）の織りまたは不織ウエブ、または天然及び合成繊維の組み合わせのような広範な材料から製造される。好ましくは、トップシート２４は、トイレのトレーニングをしている子供に濡れたこと及び尿が出たことを知らせるように約２０％乃至３０％のレーヨンを有する親水性材料から製造される。
【００８９】
トップシート２４を製造するために使用する多数の製造技術がある。例えば、トップシート２４は、繊維の不織ウエブである。トップシートが不織ウエブからなるとき、不織ウエブは、スパンボンド、カード処理、ウエットレイド、メルトブロー、ハイドロエンタングル、またはこれらの組み合わせ等の加工が行われる。好ましいトップシートは、繊維技術における当業者によってカード機械で処理され、加熱結合される。好ましくは、トップシート２４は、トイレのトレーニングをしている子供に濡れたこと及び尿が出たことを知らせるように約２０％乃至３５％のレーヨンを有する親水性材料から製造される。適当なトップシートは、ファイバーウエブノースアメリカ及び８０／２０ポリプロピレン／レーヨンカード処理され熱結合された不織ウエブとして市販されている。
【００９０】
本発明の好ましい実施例において、トップシート２４は、シャシ１４の一部を形成しないが、別に製造されてシャシに吸収組立体２２の部分として挿入され、シャシ１４は内層４６なしに製造され、吸収組立体２２のトップシート２４は、弾性イヤフラップ部材９０に配置され、（ハッセンの出願における第１０図に示すように）シャシ１４の内面を形成する。この実施例において、トップシート２４の少なくとも一部は、弾性イヤフラップ３０を形成するゼロストレインストレッチ薄層を提供するように機械的な延伸を受ける。
【００９１】
従って、この実施例のトップシート２４は、伸長可能であり、好ましくは、引っ張ることができるが機械的な張力を受けるときに完全に元の形状に戻らないようにある程度永久的に伸長するように必ずしもエラストマーである必要はない。しかしながら、この実施例は、尿が、シャシ１４の中央領域６８を越えて濡れ、吸収組立体内に閉じ込めることに失敗するから好ましくない。
【００９２】
図７は、ウエストバンドの長さ全体にわたりかつ弾性イヤフラップ３０に重複するレグバンドの長さ全体にわたって配置された弾性バンドを有するハッセのトレーニングパンツ２０の他の実施例を示す。図７及び図８は、第１の実施例に示すようなイヤフラップ７２の間ではなく、前方部分５６と後方部分５８の双方のサイドシーム１０の間に伸びる連続的な弾性ウエストバンド３４を示している。連続的な弾性ウエストバンド３４は、着用者にさらに固定され快適な適合を提供し、トレーニングパンツ２０を広範な着用者に適合できるようにする。
【００９３】
第９図は、弾性バンド７６と弾性イヤフラップ部材９０との重複領域を示す。弾性体は、無孔破線の分離に干渉せず無孔破線を阻害しないので、本発明の使い捨てトレーニングパンツは、着用者のウエストを包囲する全体のウエストバンドにわたって配置された弾性体で構成される。この実施例は、最良の適合及び最良の機能的な製品を提供するという観点で本発明の好ましい実施例であるが、第２図及び第３図に示す実施例以上に高価になる。従来技術で説明した弾性ウエストバンドは、ウエストバンド及びレグバンドの弾性部材を分離することができない開口装置を示しているが、本発明は、ウエストバンド、レグバンド及びイヤフラップの弾性体を切断することができる。
【００９４】
別の実施例は、漏れが少なくさらによく適合するトレーニングパンツを提供するために全体のレグ開口部を包囲する連続的な弾性レグバンド３２を有する。従って、弾性レグバンド３２が、弾性イヤフラップ３０に重複する重複弾性体の部分である。従来技術は、レグバンド全体を通して弾性体を有することが好ましいが、開放装置との干渉によってレグバンドの一部のみが弾性部材を収容することができることを示している。本発明は、弾性部分を分離することができるので、本発明の好ましい実施例は、漏れ防止をさらに改良するために着用者の脚の周りに緊密に適合することができるようにルグバンドの全体の長さにわたる弾性体を示す。
【００９５】
前述した説明及び図示は例示としてのものであり、当業者が行う変形及び変更は請求の範囲で定義した本発明の範囲内のものであることは理解すべきである。
【図面の簡単な説明】
【００９６】
【図１】本発明による基本的なトレーニングパンツの斜視図である。
【図１Ａ】図１のトレーニングパンツのシャシを通る破線の拡大図である。
【図１Ｂ】図１のトレーニングパンツの弾性ウエストバンドを通る破線の拡大図である。
【図１Ｃ】図１のトレーニングパンツの結合部の拡大図である。
【図１Ｄ】図１Ｃの結合部の切断線１Ｄ−１Ｄに沿った断面図である。
【図１Ｅ】本発明による破線の変形例の拡大図である。
【図１Ｆ】図１Ｅの破線のウエストバンドで見るときの拡大図である。
【図１Ｇ】本発明による破線の変形例の拡大図である。
【図１Ｈ】本発明による破線の変形例の拡大図である。
【図２】本発明によるウエストバンドとレグバンドと弾性イヤフラップの部分に弾性体を有するトレーニングパンツの斜視図である。
【図３】図２のトレーニングパンツの展開平面図である。
【図４】図３のトレーニングパンツのシャシの部分断面図である。
【図５】図３の切断線５−５に沿った部分断面図である。
【図６】図３のトレーニングパンツのシャシの前方部分及び後方部分が重複するようにクロッチ部分で折曲げられた平面図である。
【図６Ａ】図６の折り曲げらたシャシの切断線６Ａ−６Ａに沿った部分断面図である。
【図７】本発明によるウエストバンド及びレグバンドに連続的に配置された弾性体を有するトレーニングパンツの斜視図である。
【図８】図７のトレーニングパンツの展開平面図である。
【図９】図８の線９−９に沿った部分断面図である。
【符号の説明】
【００９７】
６  結合部
１０  サイドシーム
１４  シャシ
２０  トレーニングパンツ
２９  破線
５６  前方部分
５７  クロッチ部分
５８  後方部分  
１０５  弾性バンド
【図１】
2004216182.tif 000003
【図１Ａ】
2004216182.tif 000004
【図１Ｂ】
2004216182.tif 000005
【図１Ｃ】
2004216182.tif 000006
【図１Ｄ】
2004216182.tif 000007
【図１Ｅ】
2004216182.tif 000008
【図１Ｆ】
2004216182.tif 000009
【図１Ｇ】
2004216182.tif 000010
【図１Ｈ】
2004216182.tif 000011
【図２】
2004216182.tif 000012
【図３】
2004216182.tif 000013
【図４】
2004216182.tif 000014
【図５】
2004216182.tif 000015
【図６】
2004216182.tif 000016
【図６Ａ】
2004216182.tif 000017
【図７】
2004216182.tif 000018
【図８】
2004216182.tif 000019
【図９】
2004216182.tif 000020